(57)【要約】【課題】  義歯を容易に修理すると共に修理後の強度を向上させる。【解決手段】  破折した義歯１を修理するための義歯修理方法であって、前記義歯１の破折線１３に跨る凹部２１を形成し、繊維体２９を含有した配設用樹脂３１を前記凹部２１内に配設して前記破折した義歯１を接合する。これにより、補強線等を用いることなく義歯１を容易に修理することができ、且つ配設用樹脂３１に含有される繊維体２９が樹脂の強度を向上し、結果として義歯１の接合強度を向上することができる。【選択図】  図５
2006122350.tif 000002
【特許請求の範囲】
【請求項１】
破折した義歯を修理するための義歯修理方法であって、
前記義歯の破折線に跨る凹部を形成し、
繊維体を含有した配設用樹脂を前記凹部内に配設して前記破折した義歯を接合する
ことを特徴とする義歯修理方法。
【請求項２】
請求項１記載の義歯修理方法であって、
前記配設は、前記配設用樹脂を前記凹部内に収容配置し被覆用樹脂により覆うことによって行われる
ことを特徴とする義歯修理方法。
【請求項３】
請求項１又は２記載の義歯修理方法であって、
前記繊維体は、複数の単繊維からなる
ことを特徴とする義歯修理方法。
【請求項４】
請求項１〜３のいずれかに記載の義歯修理方法であって、
前記繊維体は、義歯床に合わせて着色した麻繊維である
ことを特徴とする義歯修理方法。
【請求項５】
繊維体を含有した配設用樹脂及び繊維体を含有しない被覆用樹脂とを区画収容し一側に前記配設用及び被覆用樹脂を各別に排出するための配設用及び被覆用の排出口が隣接配置された筒部材と、
該筒部材の他側にスライド自在に設けられ該スライドにより前記排出口から前記配設用及び被覆用樹脂を押し出し可能とする押出部材と
からなることを特徴とする樹脂押出具。
【請求項６】
請求項５記載の樹脂押出具であって、
前記被覆用の排出口は、前記配設用の排出口に対し隣接方向に交差する方向に拡大形成されている
ことを特徴とする樹脂押出具。
【発明の詳細な説明】
【技術分野】
【０００１】
本発明は、破折した義歯を修理するための義歯修理方法及び樹脂押出具に関する。
【背景技術】
【０００２】
樹脂製の義歯（入れ歯）が破折した場合には、例えば、金属製のワイヤー（以下、「補強線」という。）を用いた義歯修理方法が用いられる。この修理方法は、破折線に跨るようにコバルトクロム合金等からなる補強線を配設し、ＭＭＡ（メチルメタクリレート）系やＰＭＭＭＡ（ポリメチルメタクリレート）系の常温で重合硬化する樹脂（以下、「常温重合レジン」という。）を前記補強線上に築盛することにより、義歯を接合修理するものである。前記修理方法によれば、常温重合レジン内部に埋め込まれた補強線によって接合強度を向上し、義歯の再破折を抑制することができる。
【０００３】
しかしながら、従来の義歯修理方法では、ニッパー等の器具を利用して義歯の形状に適合するように補強線を屈曲させる作業や、補強線と常温重合レジンとの接着力を強化するために補強線表面に対して表面加工処理（例えば、サンドブラスト処理）やプライマー塗布処理を施す必要性がある。このため、義歯の修理に多くの労力と時間を要していた。
【０００４】
一方、このような問題を解決するために、補強線を用いず常温重合レジンのみを用いて義歯を修理する方法も考えられる。しかしながら、この方法では、接合強度が低下し、義歯が再破折する可能性がある。
【０００５】
【特許文献１】特願２００１−２５８９０７号公報
【特許文献２】特願２００１−２５８９０８号公報
【特許文献３】国際公開９９／４５８５９号パンフレット
【発明の開示】
【発明が解決しようとする課題】
【０００６】
本発明が解決しようとする課題は、義歯を容易に修理可能なようにすると修理後の義歯の強度が低下する点にある。
【課題を解決するための手段】
【０００７】
本発明は、前記義歯の破折線に跨る凹部を形成し、繊維体を含有した配設用樹脂を前記凹部内に配設して破折した義歯を接合することを最も主な特徴とする。
【発明の効果】
【０００８】
本発明の義歯修理方法によれば、繊維体を含有した配設用樹脂を凹部内に配設して破折した義歯を接合するため、義歯を容易に修理することができる。しかも、配設用樹脂に含有される繊維体が樹脂の強度を向上し、結果として義歯の接合強度を向上することができる。
【０００９】
前記配設が前記配設用樹脂を前記凹部内に収容配置し前記被覆用樹脂により覆うことによって行われる場合は、配設用樹脂の露出を防止して修理後の義歯の耐久性を向上することができる。
【００１０】
前記繊維体が複数の単繊維からなる場合は、複数の単繊維を前記配設用樹脂内で散在させることができ、前記配設用樹脂の強度を、より向上することができる。
【００１１】
前記繊維体が義歯床に合わせて着色した麻繊維である場合は、各種破折に応じて修理箇所を自由に選択することができ、修理後の義歯の強度を的確に得ることが可能となる。また、繊維体が麻繊維であるため、配設用樹脂の強度向上を容易に且つ確実に実現することができる。
【００１２】
本発明の樹脂押出機によれば、繊維体を含有した配設用樹脂及び被覆用樹脂とを区画収容し一側に前記配設用及び被覆用樹脂を各別に排出するための配設用及び被覆用の排出口が隣接配置された筒部材と該筒部材の他側にスライド自在に設けられ該スライドにより前記排出口から前記配設用及び被覆用樹脂を押し出し可能とする押出部材とからなるため、前記押出部材をスライドさることによって、前記配設用及び被覆用の排出口から配設用及び被覆用樹脂を相互に隣接させて押し出すことができる。従って、配設用樹脂を配設しながらその外側を被覆用樹脂によって覆うことができ、作業性を向上することができる。
【００１３】
前記被覆用の排出口が前記配設用の排出口に対し隣接方向に交差する方向に拡大形成されている場合は、前記配設用樹脂を前記被覆用樹脂によって確実に被覆させることができる。
【発明を実施するための最良の形態】
【００１４】
義歯を容易に修理すると共に修理後の強度を向上させるという目的を、繊維体を含有する樹脂を用いた義歯修理方法によって実現した。
【実施例１】
【００１５】
図１〜図６は、本発明の実施例１に係る義歯修理方法を示している。図１〜図６のように、本実施例では、樹脂製の義歯１が義歯床３の破折によって左右の破折片５，７に分割されている。そして、義歯修理方法は、前記破折片５，７を接合して義歯１を修理するものである。以下、義歯修理方法について説明する。
〔破折片の仮接合〕
図１は破折片５，７の仮接合を説明するための平面図であり、（ａ）は破折片５，７の破折面９，１１が一致する場合の上顎側の義歯１を示し、（ｂ）は破折片５Ａ，７Ａの破折面９Ａ，１１Ａが一致しない場合の下顎側の義歯１Ａを示している。
【００１６】
本実施例の義歯修理方法では、まず、義歯の左右の破折片を仮接合する。すなわち、図１（ａ）のように、破折片５，７の破折面９，１１が正確に一致する場合は、口腔外で破折面９，１１同士を突き合わせ、この状態で破折面９，１１間である破折線１３に、いわゆる瞬間接着剤等の接着剤１５を塗布することで行われる。一方、図１（ｂ）のように、破折片５Ａ，７Ａの破折面９Ａ，１１Ａが正確に一致しない場合には、義歯１Ａの噛み合わせや装着等の適合性のため、口腔内で行われる。すなわち、義歯１Ａを口腔内に装着し破折片５Ａ，７Ａの破折面９Ａ，１１Ａを突き合わせる。この状態で、筆などの塗布具１７によって破折線１３Ａに常温重合レジンからなる接合用樹脂１９を塗布すると共に、破折面９Ａ，１１Ａ間の隙間Ｓに接合用樹脂１９を埋め込む。そして、義歯１Ａの噛み合わせ状態で接合用樹脂１９を硬化させる。
〔凹部の形成〕
図２は凹部の形成を説明するための上顎側の義歯１の概略図である。
【００１７】
前記仮接合後は、図２のように、義歯１の破折片５，７間にわたる凹部２１を形成する。凹部２１の形成に際しては、義歯１に対し作業用模型２５を形成する。作業用模型２５の形成は、歯科用の石膏等を用いて行われる。
【００１８】
前記凹部２１の形成は、歯科用切削バー等の切削具によって、前記破折線１３を跨ぐように前記義歯１内側の義歯床３を切削する。凹部２１は、義歯床３のほぼ中央に、前記破折線１３にほぼ直交するように形成されている。なお、凹部２１は、その内面の粗度を大きく又は内面に突部を設け、若しくは内面に樹脂の接着性を向上させるプライマー等の下地剤を塗布することで、後述の配設用樹脂との固着強度を向上させることが可能である。
【００１９】
図３は、凹部２１の形成位置の変形例を示す上顎側の義歯１を示す正面図である。
【００２０】
前記凹部２１は、図３のように、例えば義歯１の唇側である外周面２７に形成してもよい。また、凹部２１を、例えば義歯１の外周面２７の複数箇所に形成することにより修理後の義歯１の強度を高めるようにすることも可能である。さらには、凹部２１を義歯１の内側及び外周面２７の双方に設けてもよい。
【００２１】
なお、上顎側の義歯１Ａに凹部２１を形成する場合も、下顎側と同様、図４のように、義歯床３Ａの内側や外周面２７Ａに１つ又は複数設けられる。
〔配設用樹脂の配設〕
図５は配設用樹脂３１の配設を説明するための要部拡大平面図、図６は配設用樹脂３１の配設を説明するための要部拡大図である。
【００２２】
前記のように形成された凹部２１内には、図５のように、繊維体２９を含有した常温重合レジンからなる配設用樹脂３１を配設する。本実施例の繊維体２９は、天然繊維である麻繊維からなり、相互に寄り合わされていない複数の単繊維３３が用いられている。この繊維体２９は、義歯１の色調に合わせて、例えば義歯床３の色調である薄ピンク色等に予め着色されている。ただし、繊維体２９は、着色されていなくてもよい。前記繊維体２９には、例えば複数の単繊維が寄り合わされてなる糸等を用いてもよい。繊維体２９の材質としては、麻の他、炭素、シリコン、セラミック、金属、ガラス等を用いることも可能である。また、水酸化ナトリウム等の薬液を用いて繊維体２９の物性を改変するようにしてもよい。
【００２３】
前記繊維体２９を凹部２１内に配設する際には、まず、図５（ａ）のように、切断具としての鋏３５により繊維体２９を凹部２１の長さよりも短い寸法に切断する。次いで、図５（ｂ）のように、切断した繊維体２９を把持具３７により把持して、塗布具１７によって配設用樹脂３１になじませながら凹部２１内に配置する。これにより、繊維体２９を含有した配設用樹脂３１が凹部２１内に収容配置されることになる。このとき、繊維体２９は複数の単繊維３３からなるため、配設用樹脂３１内に散在させることができる。なお、配設用樹脂３１の収容量は、図６（ａ），（ｂ）のように、凹部２１の高さよりも低い位置までとして、凹部２１が完全に埋まらないようにする。
【００２４】
その後、配設用樹脂３１が硬化することによって、凹部２１内に配設用樹脂３１が固着し破折片５，７を完全に接合することができる。前記配設用樹脂３１は、繊維体２９を含有しているため、剪断力及び引張力の耐性が向上することによって強度が向上している。従って、破折片５，７間の接合強度を向上することができる。前記繊維体２９は、複数の単繊維３３が配設用樹脂３１内に散在しており、配設用樹脂３１の強度をより確実に向上することができる。従って、破折片５，７間の接合強度を、より確実に向上することができる。
【００２５】
次いで、図６（ｃ）のように、配設用樹脂３１を、その配設用樹脂３１と同材料である常温重合レジンからなる被覆用樹脂３９により覆う。すなわち、被覆用樹脂３９を凹部２１内に収容し配設用樹脂３１上に築盛する。また、被覆用樹脂３９は破折線１３上にも築盛される。
【００２６】
被覆用樹脂３９の硬化後は、図７のように、歯科用研磨バー等の研磨具４０を用いて被覆用樹脂３９の表面を研磨する。これにより、被覆用樹脂３９の形態修正を行う。形態修正後には、前記作業用模型２５を義歯１から除去し、修理作業が完了する。
【００２７】
以上の説明から明らかなように、本実施例の義歯修理方法では、義歯１の破折線１３に跨って形成した凹部２１内に、繊維体２９を含有した配設用樹脂３１を配設し破折した義歯１の破折片５，７を接合し修理するため、補強線を用いる場合に比較して義歯１を容易に修理することができる。
【００２８】
しかも、配設用樹脂３１は、繊維体２９を含有していることによってその強度が向上しているため、義歯１の破折片５，７の接合強度を向上し修理後の義歯１の高強度を確実に実現することができる。従って、修理後の義歯１が再破折することをも確実に防止することができる。
【００２９】
前記繊維体２９は複数の単繊維３３からなり配設用樹脂３１内に散在しているため、被覆用樹脂３９の強度をより向上し、義歯１の破折片５，７の接合強度をより向上することができる。
【００３０】
また、繊維体２９は、義歯床３の色調に合わせて着色されているので、義歯１の外周面２７等の装着時に見えやすい位置での修理にも適用することができる。従って、各種破折に応じて修理箇所を自由に選択することができ、修理後の義歯１の強度を的確に得ることが可能となる。
【００３１】
前記繊維体２９は、麻繊維からなるため、配設用樹脂３１の強度向上を容易に実現することができると共に、着色も容易に行うことができる。
【００３２】
前記配設用樹脂３１は、被覆用樹脂３９によって覆われるため、修理後に配設用樹脂３１が露出するようなことが防止され、義歯１の耐久性を向上することができる。
【実施例２】
【００３３】
図８，図９は、本発明の第２実施例に係り、図８は樹脂押出具の斜視図、図９は樹脂押出具による樹脂配設時の一部を断面にした要部拡大斜視図である。
【００３４】
本実施例では、繊維体２９を含有する配設用樹脂４３の配設に樹脂押出具４１を用いている。なお、本実施例では、配設用樹脂４３及び被覆用樹脂４５として、流動性が高く光の照射によって重合硬化する光重合レジンが用いられている。ただし、配設用樹脂４３及び被覆用樹脂４５としては、上記実施例と同様に、常温重合レジンを用いることも可能である。
【００３５】
前記樹脂押出具４１は、筒部材４７と押出部材４９とを備えている。前記筒部材４７は、上下筒部５３，５１が一体的に隣接配置されている。筒部材４７は、前記下筒部５１に繊維体２９を含有した配設用樹脂４３を、前記上筒部５３に繊維体２９を含有しない被覆用樹脂４５を区画収容可能となっている。前記上下筒部５３，５１は、筒部材４７の一側で開口し相互に隣接する上下排出口５７，５５を各別に有している。前記上排出口５７は被覆用の排出口を構成し、前記下排出口５５は配設用の排出口を構成している。前記上排出口５７は、下排出口５５に対し隣接方向に交差する方向である幅方向の両側に突出して拡大形成されている。また、前記上下筒部５３，５１は、筒部材４７の他側で開口する導入口を有している。前記筒部材４７の他側には、フランジ部５９が周回状に設けられている。
【００３６】
一方、前記押出部材４９は、筒部材４７の他側にスライド自在に設けられている。押出部材４９は、その基部６１に上下押出部６５，６３が立設されている。前記上下押出部６５，６３は、それぞれ前記上下筒部５３，５１に対応して配置され、その上下筒部５３，５１に挿入してスライド可能となっている。そして、押出部材４９は、前記スライドにより上下筒部５３，５１内に収容された被覆用及び配設用樹脂４５，４３を前記上下排出口５７，５５から各別に押し出し可能となっている。
【００３７】
上記樹脂押出具４１によって被覆用及び配設用樹脂４５，４３を配設する際には、予め、繊維体２９を前記配設用樹脂４３に含有させて前記下筒部５１内に収容しておくと共に、前記繊維体２９を含有しない被覆用樹脂４５を前記上筒部５３内に収容しておく。
【００３８】
そして、上筒部５３を上側とすると共に、上下排出口５７，５５を凹部２１の端部上に配置する。次いで、筒部材４７の他側で押出部材４９をスライドさせつつ、上下排出口５７，５５を凹部２１に沿って移動させる。前記押出部材４９のスライドは、前記筒部材４７の上下筒部５３，５１に対し導入口から押出部材４９の前記上下押出部６５，６３をそれぞれ挿入することで行われる。この挿入によって、前記上下排出口５７，５５から被覆用及び配設用樹脂４５，４３が各別に押し出されて上下の隣接状態で排出される。そして、その排出と前記上下排出口５７，５５の凹部２１に沿った移動とにより、被覆用及び配設用樹脂４５，４３が上下の隣接状態のまま凹部２１内へ収容配置される。このとき、前記上排出口５７が下排出口５５に対し幅方向に突出するように拡大形成されているため、配設用樹脂４３を被覆用樹脂４５によって確実に被覆することができる。その後、被覆用樹脂４５をヘラ等により適切な形態に整えた後、光を照射することにより前記配設用樹脂４３及び配設用樹脂４５を重合硬化させる。
【００３９】
本実施例では、上記実施例１の作用効果に加え、配設用樹脂４３を凹部２１内に収容配置しながらその配設用樹脂４３を被覆用樹脂４５によって被覆することができるため、作業性を大幅に向上し義歯１の修理作業を容易に且つ迅速に行わせることができる。
【００４０】
また、前記上排出口５７が下排出口５５に対し幅方向に突出するように拡大形成されているため、配設用樹脂４３を被覆用樹脂４５によって確実に被覆することができる。従って、義歯１の修理作業の作業性をより向上することができる。
【００４１】
以上、本発明の実施例について説明したが、これに限定されるものではなく、構成の要素に付随した各種の設計変更等が可能である。例えば、上記実施例では、左右２つに分割された破折片５，７を接合する場合であったが、３つ以上に分割された場合にも適用することが可能である。
【００４２】
上記実施例では、配設用樹脂３１を被覆用樹脂３９によって覆うようにしていたが、被覆用樹脂３９を省略し配設用樹脂３１を露出させるようにしてもよい。この場合は、配設用樹脂３１によって凹部２１を完全に埋めるようにしてもよい。
【図面の簡単な説明】
【００４３】
【図１】破折部の仮接合を説明するための義歯の平面図であり、（ａ）は破折片の破折面が一致する場合の上顎側の義歯を示し、（ｂ）は破折片の破折面が一致しない場合の下顎側の義歯を示している（実施例１）。
【図２】凹部の形成を説明するための上顎側の義歯の平面図である（実施例１）。
【図３】凹部の形成位置の変形例を示す上顎側の義歯を示す正面図である（実施例１）。
【図４】凹部形成の別の例を説明するための下顎側の義歯を示し、（ａ）は平面図、（ｂ）は正面図である（実施例１）。
【図５】配設用樹脂の配設を説明するための要部拡大平面図であり、（ａ）は繊維体を切断する時を示し、（ｂ）は配設用樹脂を凹部に収容する時を示している（実施例１）。
【図６】配設用樹脂の配設を説明するための要部拡大図であり、（ａ）は配設用樹脂を凹部内に収容した状態を示す一部断面にした斜視図であり、（ｂ）は同断面図、（ｃ）は被覆用樹脂を築盛している状態を示す一部断面にした斜視図である（実施例１）。
【図７】形態修正を示す上顎側の義歯を示す平面図である（実施例１）。
【図８】樹脂押出具を示す斜視図である（実施例２）。
【図９】樹脂押出具による樹脂配設時の一部を断面にした要部拡大斜視図である（実施例２）。
【符号の説明】
【００４４】
１  義歯
１３  破折線
２１  凹部
２９  繊維体
３１  配設用樹脂
３３  単繊維
３９  被覆用樹脂
４１  樹脂押出具
５５、５７  排出口
【図１】
2006122350.tif 000003
【図２】
2006122350.tif 000004
【図３】
2006122350.tif 000005
【図４】
2006122350.tif 000006
【図５】
2006122350.tif 000007
【図６】
2006122350.tif 000008
【図７】
2006122350.tif 000009
【図８】
2006122350.tif 000010
【図９】
2006122350.tif 000011